(57)【要約】      （修正有）【課題】照明機能に加えて音声機能を組み合わせた多機能ステレオライト及び多機能ステレオガーデンスパイクライトを提供する。【解決手段】多機能ステレオライトは、ライト本体１０、吊下げ装置２０、光源装置、ステレオ装置及びコントローラを備える。ライト本体１０は、インナーベース、カバー１２、底板及びライトカバー１４を含む。カバー１２上には、複数の出音孔１２２が形成される。カバー１２の内側には、出音孔１２２の上方に位置規制板が配設される。インナーベースは、出音孔１２２の下方のカバー１２内に取り付けられる。ライトカバー１４は、位置規制板の上方のカバー１２内にねじ止めされる。ステレオ装置及び光源装置は、下から上方にかけて順次、位置規制板の上方のカバー１２内に取り付けられるとともに、ライトカバー１４と位置規制板との間に係合される。【選択図】図１
0003225536.tif 000002
【実用新案登録請求の範囲】
【請求項１】
ライト本体、吊下げ装置、光源装置、ステレオ装置及びコントローラを備えた多機能ステレオライトであって、
前記ライト本体は、インナーベース、カバー、底板及びライトカバーを含み、
前記カバー上には、複数の出音孔が形成され、
前記カバーの内側には、前記出音孔の上方に位置規制板が配設され、
前記インナーベースは、前記出音孔の下方の前記カバー内に取り付けられ、
前記ライトカバーは、前記位置規制板の上方の前記カバー内にねじ止めされ、
前記ステレオ装置及び前記光源装置は、下から上方にかけて順次、前記位置規制板の上方の前記カバー内に取り付けられるとともに、前記ライトカバーと前記位置規制板との間に係合され、
前記底板により前記カバーの底端面を覆い、前記インナーベースとともに囲んで収容空間が形成され、
前記コントローラは、前記収容空間内に取り付けられ、
前記ステレオ装置と前記インナーベースの頂面と前記カバーとにより囲んで出音空間を形成し、
前記出音孔は、前記出音空間と連通し、
前記吊下げ装置は、前記ライト本体上に着脱可能に取り付けられるとともに、前記ライト本体の頂面上に設けられ、
前記光源装置及び前記ステレオ装置は、前記コントローラにそれぞれ電気的に接続され、
前記コントローラは、前記光源装置及び前記ステレオ装置を駆動させることを特徴とする多機能ステレオライト。
【請求項２】
前記コントローラは、Ｂｌｕｅｔｏｏｔｈ（登録商標）を有し、
前記Ｂｌｕｅｔｏｏｔｈ（登録商標）は、前記ステレオ装置及び前記光源装置に接続されるとともに、携帯電話と通信し、前記Ｂｌｕｅｔｏｏｔｈ（登録商標）により前記携帯電話の信号を受信し、前記ステレオ装置及び前記光源装置の調整を行うことを特徴とする請求項１に記載の多機能ステレオライト。
【請求項３】
前記インナーベースの外表面には、複数の装着ピンが設けられ、
前記カバー上には、係止孔が形成され、
前記吊下げ装置の底端には、内方に延びた係合部が延設され、
前記係合部上には、装着孔が形成され、
前記係合部は、前記係止孔を介して前記装着ピン内に挿入されることを特徴とする請求項１に記載の多機能ステレオライト。
【請求項４】
前記インナーベースの頂面上には、導音面が設けられ、
前記導音面は、周囲から中心に向かって次第に盛り上がるように設けられ、中心部に尖端が形成されることを特徴とする請求項１に記載の多機能ステレオライト。
【請求項５】
前記導音面の外側の前記インナーベースの頂面上には、複数のガイドピンが設けられ、
前記位置規制板上には、複数の装着孔が形成され、
前記ガイドピンは、前記装着孔内に係合されるとともに、前記位置規制板と前記導音面とは上下に間隔をおいて配設されることを特徴とする請求項４に記載の多機能ステレオライト。
【請求項６】
前記吊下げ装置は、複数の装着アーム及びリングフックを含み、
前記装着アームは、前記ライトカバーの頂部から下向きに延びて前記カバーの外側面に至り、前記インナーベースに係入され、
前記リングフックは、前記ライトカバーの頂部に設けられるとともに、前記装着アームに取り付けられることを特徴とする請求項１に記載の多機能ステレオライト。
【請求項７】
前記光源装置は、ライトホルダ、インナーライトカバー、配線基板及びランプを含み、
前記インナーライトカバーは、前記ライトホルダと一体成形され、
前記ランプは、前記配線基板上に接続されるとともに、前記インナーライトカバー内に至るまで上方へ延び、
前記ステレオ装置は、前記ライトホルダ内に配設されることを特徴とする請求項１に記載の多機能ステレオライト。
【請求項８】
前記カバー上には、前記コントローラに接続されたＵＳＢインタフェースが設けられ、
前記ＵＳＢインタフェースは、モバイル機器を充電することを特徴とする請求項１に記載の多機能ステレオライト。
【請求項９】
ガーデンスパイクと、前記ガーデンスパイクに着脱可能に取り付けられた多機能ステレオライトと、を含む多機能ステレオガーデンスパイクライトであって、
前記多機能ステレオライトは、請求項１〜８の何れか１項に記載の多機能ステレオライトであり、
前記ガーデンスパイクの頂部には、装着部材が設けられ、前記装着部材内には、充電装置が配設され、
前記多機能ステレオライトは、前記装着部材の頂面上に取り付けられ、
前記充電装置は、プラグ又は自動充電方式により前記多機能ステレオライトを充電することを特徴とする多機能ステレオガーデンスパイクライト。
【請求項１０】
前記多機能ステレオライトの底面上には、複数の位置決めピンが設けられ、
前記装着部材の頂面上には、対応した位置決め孔が形成され、
前記位置決めピンは、前記位置決め孔内に係合されることを特徴とする請求項９に記載の多機能ステレオガーデンスパイクライト。
【考案の詳細な説明】
【技術分野】
【０００１】
本考案は、照明装置、特に、ライトに関するものであり、さらに詳しくは、多機能ステレオライト及び多機能ステレオガーデンスパイクライトに関するものである。
【背景技術】
【０００２】
近年、ライトに関する技術の成熟度が高まるにつれ、人々のニーズを満たす様々な種類のライトが市販されている。しかし、従来のライトは、吊下げて使用するか、または、物品に取り付けて固定するか、あるいは、平らな場所などに設置して使用するなど単純な使用方式しかなく、ライトの利用方法が限定され、実用性に乏しいという問題があった。また、従来のライトは、照明という単一の機能しか無く、種々の好奇心を満たすには、それらに対応する機能に乏しく、ストレス解消効果が無く、融通性も低かったため、ライトに対する人々のニーズを満たすことは容易でなかった。
【考案の概要】
【考案が解決しようとする課題】
【０００３】
従って、本考案の主な課題は、使用方式が単純で、単一の機能しか無かった従来技術に係るライトの問題を改善することにより、多機能ステレオライト及び多機能ステレオガーデンスパイクライトを提供することにある。
【課題を解決するための手段】
【０００４】
そこで、本考案者は、前記の本考案の課題を解決するため鋭意検討を重ねた結果、後述のように、照明機能に加えて音声機能を組み合せることにより、前記課題を解決できることに着目し、かかる知見に基いて本考案の完成に想到するに至った。
【０００５】
かくして、本考案の要旨は、次の（１）〜（１０）に記載の通りのものである。
（１）ライト本体、吊下げ装置、光源装置、ステレオ装置及びコントローラを備えた多機能ステレオライトであって、前記ライト本体は、インナーベース、カバー、底板及びライトカバーを含み、前記カバー上には、複数の出音孔が形成され、前記カバーの内側には、前記出音孔の上方に位置規制板が配設され、前記インナーベースは、前記出音孔の下方の前記カバー内に取り付けられ、前記ライトカバーは、前記位置規制板の上方の前記カバー内にねじ止めされ、前記ステレオ装置及び前記光源装置は、下から上方にかけて順次、前記位置規制板の上方の前記カバー内に取り付けられるとともに、前記ライトカバーと前記位置規制板との間に係合され、前記底板により前記カバーの底端面を覆い、前記インナーベースとともに囲んで収容空間が形成され、前記コントローラは、前記収容空間内に取り付けられ、前記ステレオ装置と前記インナーベースの頂面と前記カバーとにより囲んで出音空間を形成し、前記出音孔は、前記出音空間と連通し、前記吊下げ装置は、前記ライト本体上に着脱可能に取り付けられるとともに、前記ライト本体の頂面上に設けられ、前記光源装置及び前記ステレオ装置は、前記コントローラにそれぞれ電気的に接続され、前記コントローラは、前記光源装置及び前記ステレオ装置を駆動することを特徴とする、多機能ステレオライト。
【０００６】
（２）前記コントローラは、Ｂｌｕｅｔｏｏｔｈ（登録商標）を有し、前記Ｂｌｕｅｔｏｏｔｈ（登録商標）は、前記ステレオ装置及び前記光源装置に接続されるとともに、携帯電話と通信し、前記Ｂｌｕｅｔｏｏｔｈ（登録商標）により前記携帯電話の信号を受信し、前記ステレオ装置及び前記光源装置の調整を行うことを特徴とする前記（１）に記載の多機能ステレオライト。
【０００７】
（３）前記インナーベースの外表面には、複数の装着ピンが設けられ、前記カバー上には、係止孔が形成され、前記吊下げ装置の底端には、内方に延びた係合部が延設され、前記係合部上には、装着孔が形成され、前記係合部は、前記係止孔を介して前記装着ピン内に挿入されることを特徴とする前記（１）に記載の多機能ステレオライト。
【０００８】
（４）前記インナーベースの頂面上には、導音面が設けられ、前記導音面は、周囲から中心に向かって次第に盛り上がるように設けられ、中心部に尖端が形成されることを特徴とする前記（１）に記載の多機能ステレオライト。
【０００９】
（５）前記導音面の外側の前記インナーベースの頂面上には、複数のガイドピンが設けられ、前記位置規制板上には、複数の装着孔が形成され、前記ガイドピンは、前記装着孔内に係合されるとともに、前記位置規制板と前記導音面とは上下に間隔をおいて配設されることを特徴とする前記（４）に記載の多機能ステレオライト。
【００１０】
（６）前記吊下げ装置は、複数の装着アーム及びリングフックを含み、前記装着アームは、前記ライトカバーの頂部から下向きに延びて前記カバーの外側面に至り、前記インナーベースに係入され、前記リングフックは、前記ライトカバーの頂部に設けられるとともに、前記装着アームに取り付けられることを特徴とする前記（１）に記載の多機能ステレオライト。
【００１１】
（７）前記光源装置は、ライトホルダ、インナーライトカバー、配線基板及びランプを含み、前記インナーライトカバーは、前記ライトホルダと一体成形され、前記ランプは、前記配線基板上に接続されるとともに、前記インナーライトカバー内に至るまで上方へ延び、前記ステレオ装置は、前記ライトホルダ内に配設されることを特徴とする前記（１）に記載の多機能ステレオライト。
【００１２】
（８）前記カバー上には、前記コントローラに接続されたＵＳＢインタフェースが設けられ、前記ＵＳＢインタフェースは、モバイル機器を充電することを特徴とする前記（１）に記載の多機能ステレオライト。
【００１３】
（９）ガーデンスパイクと、前記ガーデンスパイクに着脱可能に取り付けられた多機能ステレオライトと、を含む多機能ステレオガーデンスパイクライトであって、前記多機能ステレオライトは、前記（１）〜（８）の何れかに記載の多機能ステレオライトであり、前記ガーデンスパイクの頂部には、装着部材が設けられ、前記装着部材内には、充電装置が配設され、前記多機能ステレオライトは、前記装着部材の頂面上に取り付けられ、前記充電装置は、プラグ又は自動充電方式により前記多機能ステレオライトを充電することを特徴とする、多機能ステレオガーデンスパイクライト。
【００１４】
（１０）前記多機能ステレオライトの底面上には、複数の位置決めピンが設けられ、前記装着部材の頂面上には、対応した位置決め孔が形成され、前記位置決めピンは、前記位置決め孔内に係合されることを特徴とする前記（９）に記載の多機能ステレオガーデンスパイクライト。
【考案の効果】
【００１５】
本考案の多機能ステレオライト及び多機能ステレオガーデンスパイクライトは、音声と光の機能を組み合わせることにより、生活の中に面白みとストレス解消効果を取り入れ、ステレオライトを屋外、室内など様々な場所で利用できる上、設置、固定、手提げ、吊下げるなど様々な方式で使用することもできるため、実用的で普及させる価値が高い。
【図面の簡単な説明】
【００１６】
【図１】図１は、本考案の一実施形態に係る多機能ステレオライトを示す斜視図である。
【図２】図２は、図１のステレオライトを示す断面斜視図である。
【図３】図３は、図１のステレオライトを示す分解斜視図である。
【図４】図４は、図３で示すステレオライトのカバーの別の角度からの斜視図である。
【図５】図５は、図１で示すステレオライトをガーデンスパイクに取り付けてなるステレオガーデンスパイクライトを示す斜視図である。
【図６】図６は、図５で示すステレオガーデンスパイクライトの分解斜視図である。
【考案を実施するための形態】
【００１７】
以下、図面を用いて本考案を具体的に説明する。もっとも本考案は、かかる図面等により限定されるものではない。
図１〜図４を参照する。図１〜図４に示すように、本考案の一実施形態に係る多機能ステレオライト１００は、少なくともライト本体１０、吊下げ装置２０、光源装置３０、ステレオ装置４０及びコントローラ５０から構成されてなる。上述した吊下げ装置２０は、ライト本体１０の外側上方に配設される。光源装置３０、ステレオ装置４０及びコントローラ５０は、ライト本体１０内にそれぞれ配設される。光源装置３０及びステレオ装置４０は、コントローラ５０にそれぞれ電気的に接続される。上述したコントローラ５０は、光源装置３０及びステレオ装置４０の駆動を制御する。
【００１８】
上述したライト本体１０は、両端が大きく中央部が小さい女性の腰のような形状を呈し、従来の灯籠の構造と融合して造型がソフトで復古調かつ独創的である。ライト本体１０は、インナーベース１１、カバー１２、底板１３及びライトカバー１４を含む。上述したカバー１２は、インナーベース１１の外側面に嵌設され、底板１３によりカバー１２の底端面を覆い、インナーベース１１とともに囲んで収容空間が形成される。上述したコントローラ５０は、収容空間内に取り付けられる。上述したライトカバー１４は、カバー１２上に取り付けられ、インナーベース１１の真上を覆う。上述した光源装置３０は、カバー１２内に取り付けられ、ライトカバー１４内に至るように上方に延びる。上述したステレオ装置４０は、光源装置３０とインナーベース１１との間に配設される。
【００１９】
上述したインナーベース１１は、下から上方にかけて徐々に縮小するラッパ状に形成される。インナーベース１１の外表面上には、複数の装着溝１１１が形成される。上述した装着溝１１１内には、装着ピン１１２及び装着孔１１３が設けられる。上述したインナーベース１１の頂面上には、導音面１１４が設けられる。導音面１１４は、周囲から中心に向かって次第に盛り上がるように設けられ、中心部には尖端が形成される。また、上述した導音面１１４の外側のインナーベース１１の頂面上には、複数のガイドピン１１５が設けられる。
【００２０】
上述したカバー１２の外側面上には、内外貫通する複数の係止孔１２１及び出音孔１２２が形成される。カバー１２の外側面上には、複数の取付け孔１２３と、環状の位置規制板１２４とが設けられる。上述したインナーベース１１のガイドピン１１５は、上述した位置規制板１２４上に係合されるか、締結具により位置規制板１２４上にロックされる。位置規制板１２４と導音面１１４とは上下に間隔をおいて配設される。上述した係止孔１２１と、インナーベース１１上の装着溝１１１とは１対１対応で配置される。上述した吊下げ装置２０の底端には、外方から内方に係止孔１２１を介して装着溝内の装着ピン１１２が挿入され、上述した吊下げ装置２０に連結固定される。上述した底板１３でカバー１２の底面を覆い、締結具を下から上方に底板１３、インナーベース１１の装着孔１１３に挿入してから、カバー１２内の取付け孔１２３内に挿入し、カバー１２、インナーベース１１及び底板１３を互いに連結固定させる。
【００２１】
上述した位置規制板１２４上のカバー１２の内側面には、雌ねじが設けられ、上述したライトカバー１４の底部外側面には、雄ねじが設けられ、ライトカバー１４が雄ねじを介してカバー１２上にねじ止めされる。上述したステレオ装置４０は、上述した位置規制板１２４上に取り付けられ、位置規制板１２４はそれに対して位置決めされ、ステレオ装置４０の音声出力スピーカは、上述した導音面１１４の一側に向けて設置される。ステレオ装置４０の音声出力の底端面と、上述した導音面１１４と、カバーとにより囲まれて音声出力空間が形成される。上述した出音孔１２２は、音声出力空間及び外界に連通し、ステレオ装置４０の音声が十分拡散されるため、音声出力効果が良好である。
【００２２】
上述した光源装置３０は、ライトホルダ３１と、ライトホルダ３１上に設けたインナーライトカバー３２と、ライトホルダ３１内に取り付けた配線基板３３と、ランプ３４と、を含む。本実施形態のインナーライトカバー３２は、上述したライトホルダ３１上に一体成形される。上述したランプ３４は、配線基板３３上に接続され、上方へ延びてインナーライトカバー３２内に至る。上述したライトホルダ３１は、ステレオ装置４０の上方を覆い、ライトホルダ３１及びステレオ装置４０の外側が位置規制板１２４とライトカバー１４の底端面との間に係合され、光源装置３０とステレオ装置４０とが連結固定される。
【００２３】
上述したコントローラ５０は、Ｂｌｕｅｔｏｏｔｈ（登録商標）を有してもよい。上述した「Ｂｌｕｅｔｏｏｔｈ（登録商標）」は、携帯電話のアプリ（ＡＰＰ）と通信し、携帯電話のアプリを利用して光源装置のオン、オフ、明るさ、色温度を制御したり、携帯電話のアプリによりオーディオ信号をステレオ装置４０に送信し、オーディオ信号の再生及び音量の大きさを制御したりすることもできる。上述したカバー上には、上述したコントローラ５０に接続されたＵＳＢインタフェース７０が設けられてもよい。ＵＳＢインタフェース７０は、モバイル機器を充電する。
【００２４】
上述した吊下げ装置２０は、複数の装着アーム２１及びリングフック２２を含む。上述した装着アーム２１は、ライトカバー１４の頂部から下向きに延びたカバー１２の外側面に至り、装着アーム２１の底端には係合部が設けられる。上述した係合部上には、係止孔１２１が形成される。上述した係止孔１２１には、対応したインナーベース１１の装着ピン１１２が係合される。上述したリングフック２２は、ライトカバー１４の頂部に設けられるとともに、複数の装着アーム２１に取り付けられる。実際に使用する際、ユーザは上述した多機能ステレオライトを机上又は平面上に直接置く、吊下げる、手で提げるなど様々な使用方式を有する。
【００２５】
図５及び図６を参照する。図５及び図６に示すように、上述した多機能ステレオライト１００は、ガーデンスパイク２００上に取り付けられる。上述したガーデンスパイク２００の頂部には、装着部２１１が設けられる。上述した装着部２１１内には、充電装置（図示せず）が設置される。上述した多機能ステレオライト１００は、上述した装着部２１１の頂面上に配設される。上述した充電装置は、充電プラグ又は自動充電方式により多機能ステレオライト１００を充電する。また、上述した多機能ステレオライト１００の底端面上には、下向きに延びた複数の位置決めピン６０が延設される。上述した装着部２１１の頂面上には、対応した位置決め孔が形成され、上述した対応した位置決め孔内に位置決めピン６０が挿入されると、多機能ステレオライト１００が連結固定される。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  ライト本体
１１  インナーベース
１２  カバー
１３  底板
１４  ライトカバー
２０  吊下げ装置
２１  装着アーム
２２  リングフック
３０  光源装置
３１  ライトホルダ
３２  インナーライトカバー
３３  配線基板
３４  ランプ
４０  ステレオ装置
５０  コントローラ
６０  位置決めピン
７０  ＵＳＢインタフェース
１００  多機能ステレオライト
１１１  装着溝
１１２  装着ピン
１１３  装着孔
１１４  導音面
１１５  ガイドピン
１２１  係止孔
１２２  出音孔
１２３  取付け孔
１２４  位置規制板
１４４  導音面
２００  ガーデンスパイク
２１１  装着部
【図１】
0003225536.tif 000003
【図２】
0003225536.tif 000004
【図３】
0003225536.tif 000005
【図４】
0003225536.tif 000006
【図５】
0003225536.tif 000007
【図６】
0003225536.tif 000008
【手続補正書】
【提出日】令和2年1月7日(2020.1.7)
【手続補正１】
【補正対象書類名】実用新案登録請求の範囲
【補正対象項目名】全文
【補正方法】変更
【補正の内容】
【実用新案登録請求の範囲】
【請求項１】
ライト本体、吊下げ装置、光源装置、ステレオ装置及びコントローラを備えた多機能ステレオライトであって、
前記ライト本体は、インナーベース、カバー、底板及びライトカバーを含み、
前記カバー上には、複数の出音孔が形成され、
前記カバーの内側には、前記出音孔の上方に位置規制板が配設され、
前記インナーベースは、前記出音孔の下方の前記カバー内に取り付けられ、
前記ライトカバーは、前記位置規制板の上方の前記カバー内にねじ止めされ、
前記ステレオ装置及び前記光源装置は、下方から上方にかけて順次、前記位置規制板の上方の前記カバー内に取り付けられるとともに、前記ライトカバーと前記位置規制板との間に係合され、
前記底板により前記カバーの底端面を覆い、前記インナーベースとともに囲んで収容空間が形成され、
前記コントローラは、前記収容空間内に取り付けられ、
前記ステレオ装置と前記インナーベースの頂面と前記カバーとにより囲んで出音空間を形成し、
前記出音孔は、前記出音空間と連通し、
前記吊下げ装置は、前記ライト本体上に着脱可能に取り付けられるとともに、前記ライト本体の頂面上に設けられ、
前記光源装置及び前記ステレオ装置は、前記コントローラにそれぞれ電気的に接続され、前記コントローラは、前記光源装置及び前記ステレオ装置を駆動させることを特徴とする多機能ステレオライト。
【請求項２】
前記コントローラは、Ｂｌｕｅｔｏｏｔｈ（登録商標）を有し、
前記Ｂｌｕｅｔｏｏｔｈ（登録商標）は、前記ステレオ装置及び前記光源装置に接続されるとともに、携帯電話と通信し、前記Ｂｌｕｅｔｏｏｔｈ（登録商標）により前記携帯電話の信号を受信し、前記ステレオ装置及び前記光源装置の調整を行うことを特徴とする請求項１に記載の多機能ステレオライト。
【請求項３】
前記インナーベースの外表面には、複数の装着ピンが設けられ、
前記カバー上には、係止孔が形成され、
前記吊下げ装置の底端には、内方に延びた係合部が延設され、
前記係合部上には、装着孔が形成され、
前記係合部は、前記係止孔を介して前記装着ピン内に挿入されることを特徴とする請求項１に記載の多機能ステレオライト。
【請求項４】
前記インナーベースの頂面上には、導音面が設けられ、
前記導音面は、周囲から中心に向かって次第に盛り上がるように設けられ、中心部に尖端が形成されることを特徴とする請求項１に記載の多機能ステレオライト。
【請求項５】
前記導音面の外側の前記インナーベースの頂面上には、複数のガイドピンが設けられ、
前記位置規制板上には、複数の装着孔が形成され、
前記ガイドピンは、前記装着孔内に係合されるとともに、前記位置規制板と前記導音面とは上下に間隔をおいて配設されることを特徴とする請求項４に記載の多機能ステレオライト。
【請求項６】
前記吊下げ装置は、複数の装着アーム及びリングフックを含み、
前記装着アームは、前記ライトカバーの頂部から下向きに延びて前記カバーの外側面に至り、前記インナーベースに係入され、前記リングフックは、前記ライトカバーの頂部に設けられるとともに、前記装着アームに取り付けられることを特徴とする請求項１に記載の多機能ステレオライト。
【請求項７】
前記光源装置は、ライトホルダ、インナーライトカバー、配線基板及びランプを含み、前記インナーライトカバーは、前記ライトホルダと一体成形され、
前記ランプは、前記配線基板上に接続されるとともに、前記インナーライトカバー内に至るまで上方へ延び、
前記ステレオ装置は、前記ライトホルダ内に配設されることを特徴とする請求項１に記載の多機能ステレオライト。
【請求項８】
前記カバー上には、前記コントローラに接続されたＵＳＢインタフェースが設けられ、前記ＵＳＢインタフェースを介して、モバイル機器を充電することを特徴とする請求項１に記載の多機能ステレオライト。
【請求項９】
ガーデンスパイクと、前記ガーデンスパイクに着脱可能に取り付けられた多機能ステレオライトと、を含む多機能ステレオガーデンスパイクライトであって、
前記多機能ステレオライトは、請求項１〜８の何れか１項に記載の多機能ステレオライトであり、
前記ガーデンスパイクの頂部には、装着部材が設けられ、前記装着部材内には、充電装置が配設され、
前記多機能ステレオライトは、前記装着部材の頂面上に取り付けられ、
前記充電装置は、プラグ又は自動充電方式により前記多機能ステレオライトを充電することを特徴とする多機能ステレオガーデンスパイクライト。
【請求項１０】
前記多機能ステレオライトの底面上には、複数の位置決めピンが設けられ、
前記装着部材の頂面上には、対応した位置決め孔が形成され、
前記位置決めピンは、前記位置決め孔内に係合されることを特徴とする請求項９に記載の多機能ステレオガーデンスパイクライト。
【手続補正２】
【補正対象書類名】明細書
【補正対象項目名】００１２
【補正方法】変更
【補正の内容】
【００１２】
（８）前記カバー上には、前記コントローラに接続されたＵＳＢインタフェースが設けられ、前記ＵＳＢインタフェースを介して、モバイル機器を充電することを特徴とする前記（１）に記載の多機能ステレオライト。
【手続補正３】
【補正対象書類名】明細書
【補正対象項目名】００２３
【補正方法】変更
【補正の内容】
【００２３】
上述したコントローラ５０は、Ｂｌｕｅｔｏｏｔｈ（登録商標）を有してもよい。上述した「Ｂｌｕｅｔｏｏｔｈ（登録商標）」は、携帯電話のアプリ（ＡＰＰ）と通信し、携帯電話のアプリを利用して光源装置のオン、オフ、明るさ、色温度を制御したり、携帯電話のアプリによりオーディオ信号をステレオ装置４０に送信し、オーディオ信号の再生及び音量の大きさを制御したりすることもできる。上述したカバー上には、上述したコントローラ５０に接続されたＵＳＢインタフェース７０が設けられてもよい。ＵＳＢインタフェース７０を介して、モバイル機器を充電することができる。